(57)【要約】【課題】タグ情報の読み取りを通じて提供されるコンテンツの管理に要する労力を軽減することの可能な情報管理サーバ、情報提供システム、情報提供方法、及び、情報提供プログラムを提供する。【解決手段】情報管理サーバは、タグが有するタグ情報を読み取る端末からタグ情報を受信する受信部と、コンテンツの提供元に関する情報であるコンテンツ情報をタグ情報に対応付けて記憶する記憶部とを備える。また、情報管理サーバは、受信されたタグ情報に対応付けられるコンテンツ情報を特定する制御部と、特定されたコンテンツ情報を出力する出力部とを備える。【選択図】図４
2014026470.tif 000002
【特許請求の範囲】
【請求項１】
タグが有するタグ情報を読み取る端末から前記タグ情報を受信する受信部と、
コンテンツの提供元に関する情報であるコンテンツ情報をタグ情報に対応付けて記憶する記憶部と、
前記受信されたタグ情報に対応付けられる前記コンテンツ情報を特定する制御部と、
前記特定された前記コンテンツ情報を出力する出力部と、
を備える情報管理サーバ。
【請求項２】
前記制御部は、
前記特定に用いられる前記タグ情報と前記コンテンツ情報との対応付けを変更する
請求項１に記載の情報管理サーバ。
【請求項３】
前記制御部は、
前記特定に用いられる前記タグ情報と前記コンテンツ情報との対応付けを時刻に応じて変更する
請求項１又は２に記載の情報管理サーバ。
【請求項４】
前記受信部は、
前記端末から、当該端末の識別情報と当該端末の読み取った前記タグ情報とを受信し、
前記制御部は、
前記端末の識別情報と当該端末の読み取ったタグ情報とを対応付けた履歴データを生成する
請求項１〜３のいずれか一項に記載の情報管理サーバ。
【請求項５】
前記受信部は、
前記端末から、当該端末の位置情報と当該端末の読み取った前記タグ情報とを受信し、
前記制御部は、
前記端末の位置情報と当該端末の読み取ったタグ情報とを対応付けた履歴データを生成する
請求項１〜４のいずれか一項に記載の情報管理サーバ。
【請求項６】
前記コンテンツ情報は、コンテンツの提供元を選定するサーバのアドレスであり、
前記制御部は、
前記特定されたコンテンツ情報に基づいて前記コンテンツの提供元を選定するサーバへ前記履歴データを送信させる
請求項４又は５に記載の情報管理サーバ。
【請求項７】
タグが有するタグ情報を読み取る端末と、
前記端末とネットワークを介して接続する情報管理サーバと、を備え、
前記情報管理サーバは、
前記端末から前記タグ情報を受信する受信部と、
コンテンツの提供元に関する情報であるコンテンツ情報をタグ情報に対応付けて記憶する記憶部と、
前記受信されたタグ情報に対応付けられる前記コンテンツ情報を特定する制御部と、
前記特定された前記コンテンツ情報を出力する出力部と、を備える
情報提供システム。
【請求項８】
前記端末は、
近距離無線通信機能を備え、近距離無線通信機能によってタグ情報を読み取る
請求項７に記載の情報提供システム。
【請求項９】
タグが有するタグ情報を読み取る端末からネットワークを介して前記タグ情報を受信するステップと、
コンテンツの提供元に関する情報であるコンテンツ情報をタグ情報に対応付けて記憶する記憶部から前記受信されたタグ情報に対応付けられる前記コンテンツ情報を特定して出力するステップと、
を含む情報提供方法。
【請求項１０】
タグが有するタグ情報を読み取る端末とネットワークを介して接続する情報管理サーバを用いてコンテンツの提供元に関する情報であるコンテンツ情報を特定する情報提供プログラムであって、
前記情報管理サーバを、
前記端末から前記タグ情報を受信する受信部と、
前記コンテンツ情報をタグ情報に対応付けて記憶する記憶部と、
前記受信されたタグ情報に対応付けられる前記コンテンツ情報を特定する制御部と、
前記特定された前記コンテンツ情報を出力する出力部として機能させる
ことを特徴とする情報提供プログラム。
【発明の詳細な説明】
【技術分野】
【０００１】
本開示の技術は、コンテンツの提供に用いられる情報管理サーバ、情報提供システム、情報提供方法、及び、情報提供プログラムに関する。
【背景技術】
【０００２】
スマートポスターやデジタルサイネージ等の広告媒体に取り付けられるＩＣタグには、例えば、広告媒体に掲載される商品のホームページアドレス等がタグ情報として記憶されている。そして、ＩＣタグが有するタグ情報は、利用者が所持するリーダライタに読み取られて利用者に利用される。これにより、スマートポスターやデジタルサイネージを通じて、コンテンツが利用者に提供される（例えば特許文献１、特許文献２参照）。
【先行技術文献】
【特許文献】
【０００３】
【特許文献１】特開２００２−１６２９１８号公報
【特許文献２】特開２００２−２１５０４９号公報
【発明の概要】
【発明が解決しようとする課題】
【０００４】
ところで、上述のＩＣタグを用いたコンテンツの提供にて、利用者に提供されるコンテンツを提供者が確認するためには、広告媒体の設置場所への移動と、設置場所でのタグ情報の取得作業とが提供者には求められる。それゆえに、タグ情報の読み取りを通じて提供されるコンテンツに対してその管理が煩雑とならざるを得ない。
【０００５】
このような実情に鑑みて、本開示の技術は、タグ情報の読み取りを通じて提供されるコンテンツの管理に要する労力を軽減することの可能な情報管理サーバ、情報提供システム、情報提供方法、及び、情報提供プログラムを提供することを目的とする。
【課題を解決するための手段】
【０００６】
本開示における情報管理サーバの一態様は、タグが有するタグ情報を読み取る端末から前記タグ情報を受信する受信部と、コンテンツの提供元に関する情報であるコンテンツ情報をタグ情報に対応付けて記憶する記憶部と、前記受信されたタグ情報に対応付けられる前記コンテンツ情報を特定する制御部と、前記特定された前記コンテンツ情報を出力する出力部と、を備える。
【０００７】
本開示における情報提供システムの一態様は、タグが有するタグ情報を読み取る端末と、前記端末とネットワークを介して接続する情報管理サーバと、を備え、前記情報管理サーバは、前記端末から前記タグ情報を受信する受信部と、コンテンツの提供元に関する情報であるコンテンツ情報をタグ情報に対応付けて記憶する記憶部と、前記受信されたタグ情報に対応付けられる前記コンテンツ情報を特定する制御部と、前記特定された前記コンテンツ情報を出力する出力部と、を備える。
【０００８】
本開示における情報提供方法の一態様は、タグが有するタグ情報を読み取る端末からネットワークを介して前記タグ情報を受信するステップと、コンテンツの提供元に関する情報であるコンテンツ情報をタグ情報に対応付けて記憶する記憶部から前記受信されたタグ情報に対応付けられる前記コンテンツ情報を特定して出力するステップと、を含む。
【０００９】
本開示における情報提供プログラムの一態様は、タグが有するタグ情報を読み取る端末とネットワークを介して接続する情報管理サーバを用いてコンテンツの提供元に関する情報であるコンテンツ情報を特定する情報提供プログラムであって、前記情報管理サーバを、前記端末から前記タグ情報を受信する受信部と、前記コンテンツ情報をタグ情報に対応付けて記憶する記憶部と、前記受信されたタグ情報に対応付けられる前記コンテンツ情報を特定する制御部と、前記特定された前記コンテンツ情報を出力する出力部として機能させる。
【００１０】
本開示の技術における一態様によれば、タグ情報とコンテンツ情報とが情報管理サーバにて対応付けられるため、端末に提供されるコンテンツを提供者が確認する際に、タグの設置場所への移動に要する労力や設置場所でのタグ情報の取得作業に要する労力が軽減される。それゆえに、タグ情報の読み取りを通じて提供されるコンテンツの管理に要する労力が軽減される。
【００１１】
本開示における情報管理サーバの他の態様では、前記制御部は、前記特定に用いられる前記タグ情報と前記コンテンツ情報との対応付けを変更する。
本開示における情報管理サーバの他の態様によれば、タグ情報とコンテンツ情報との対応付けが変更されるため、１つのタグ情報に対応して提供されるコンテンツに多様性が与えられる。また、これらの対応付けが情報管理サーバにて変更されるため、提供されるコンテンツの変更に際して、タグ情報の変更に要する労力やタグ自体の変更に要する労力が軽減される。すなわち、特定のタグに対応付けられるコンテンツ情報の変更に伴う労力が軽減される。
【００１２】
本開示における情報管理サーバの他の態様では、前記制御部は、前記特定に用いられる前記タグ情報と前記コンテンツ情報との対応付けを時刻に応じて変更する。
本開示における情報管理サーバの他の態様によれば、タグ情報とコンテンツ情報との対応付けが時刻に応じて変更されるため、こうした変更に要する労力が軽減される。
【００１３】
本開示における情報管理サーバの他の態様では、前記受信部は、前記端末から、当該端末の識別情報と当該端末の読み取った前記タグ情報とを受信し、前記制御部は、前記端末の識別情報と当該端末の読み取ったタグ情報とを対応付けた履歴データを生成する。
【００１４】
本開示における情報管理サーバの他の態様によれば、特定のタグ情報を取得した端末が情報管理サーバにて把握されるため、タグ情報の取得の状況が端末ごとに分析される際に、その分析に要する労力を軽減することが可能にもなる。
【００１５】
本開示における情報管理サーバの他の態様では、前記受信部は、前記端末から、当該端末の位置情報と当該端末の読み取った前記タグ情報とを受信し、前記制御部は、前記端末の位置情報と当該端末の読み取ったタグ情報とを対応付けた履歴データを生成する。
【００１６】
本開示における情報管理サーバの他の態様によれば、特定のタグ情報の取得された位置が情報管理サーバにて把握されため、タグ情報の取得の状況が位置ごとに分析される際に、その分析に要する労力を軽減することが可能にもなる。
【００１７】
本開示における情報管理サーバの他の態様では、前記コンテンツ情報は、コンテンツの提供元を選定するサーバのアドレスであり、前記制御部は、前記特定されたコンテンツ情報に基づいて前記コンテンツの提供元を選定するサーバへ前記履歴データを送信させる。
【００１８】
本開示における情報管理サーバの他の態様によれば、コンテンツの提供元を選定するサーバで履歴データの利用が可能となるため、履歴データの効果的な利用が図られる。
本開示における情報提供システムの他の態様では、前記端末は、近距離無線通信機能を備え、近距離無線通信機能によってタグ情報を読み取る。
【００１９】
本開示における情報管理サーバの他の態様によれば、近距離無線通信機能を備えるタグに対して、タグの設置場所への移動に要する労力や設置場所でのタグ情報の取得作業に要する労力が軽減される。
【発明の効果】
【００２０】
本開示の技術によれば、タグ情報の読み取りを通じて提供されるコンテンツの管理に要する労力を軽減することが可能となる。
【図面の簡単な説明】
【００２１】
【図１】本開示の技術における第１の実施形態の情報提供システムの全体構成を示すシステム構成図である。
【図２】第１の実施形態における情報管理サーバの装置構成を示すブロック図である。
【図３】第１の実施形態におけるタグ情報とコンテンツ情報との対応関係を示す図である。
【図４】第１の実施形態でのコンテンツの提供の手順を示すシーケンス図である。
【図５】本開示の技術における第２の実施形態の情報管理サーバの装置構成を示すブロック図である。
【図６】第２の実施形態におけるタグ情報とコンテンツ情報との対応関係を示す図である。
【図７】第２の実施形態でのコンテンツの提供の手順を示すシーケンス図である。
【図８】本開示の技術における第３の実施形態の情報管理サーバの装置構成を示すブロック図である。
【図９】第３の実施形態における履歴データのデータ構成を示す図である。
【図１０】第３の実施形態でのコンテンツの提供の手順を示すシーケンス図である。
【図１１】本開示の技術における第４の実施形態の履歴データのデータ構成を示す構成図である。
【図１２】第４の実施形態でのコンテンツの提供の手順を示すシーケンス図である。
【図１３】本開示の技術における第５の実施形態の情報提供システムの全体構成を示すシステム構成図である。
【図１４】第５の実施形態でのコンテンツの提供の手順を示すシーケンス図である。
【発明を実施するための形態】
【００２２】
（第１の実施形態）
本開示の技術における情報管理サーバ、情報提供システム、情報提供方法、及び、情報提供プログラムの第１の実施形態について図１〜図４を参照して説明する。まず、本実施形態の情報提供システムの全体構成について、図１を参照して説明する。
【００２３】
［情報提供システムの構成］
図１に示されるように、情報提供システムは、ＩＣタグ１０と、ユーザ端末２０と、コンテンツ提供サーバ３０と、情報管理サーバ４０とを含む。ユーザ端末２０と、コンテンツ提供サーバ３０と、情報管理サーバ４０とは、インターネット等のネットワークＮＷを介して相互にデータを送信及び受信する。
【００２４】
ＩＣタグ１０は、駅や店舗に設置される広告媒体に埋め込まれていてもよく、また、書籍やＣＤ等の物品に貼り付けられていてもよい。ＩＣタグ１０の備えるＩＣチップは、タグ情報Ｉｔを記憶している。ＩＣタグ１０が有するタグ情報Ｉｔは、当該ＩＣタグ１０に固有の情報であって、ＩＣタグ１０ごとに割り当てられている。
【００２５】
なお、タグ情報Ｉｔは、複数のＩＣタグ１０の各々に共通する情報であってもよく、例えば、掲載内容が相互に等しい複数の広告媒体では、複数のＩＣタグ１０の各々は、共通する１つのタグ情報Ｉｔを有していてもよい。本実施形態におけるタグ情報Ｉｔは、情報管理サーバ４０におけるアクセス先を示すユニフォーム・リソース・ロケータ（ＵＲＬ）に具体化されている。
【００２６】
ユーザ端末２０は、近距離無線通信機能、及び、ネットワークＮＷへの接続機能を備える端末であり、例えば、ニア・フィールド・コミュニケーション（ＮＦＣ）に対応したスマートフォンに具体化される。ユーザ端末２０には、当該端末の識別に用いられる識別情報として端末ＩＤが割り当てられている。ユーザ端末２０は、ＩＣタグ１０に割り当てられたタグ情報ＩｔをＩＣタグ１０から非接触で読み取り、読み取られたタグ情報Ｉｔに基づいて情報管理サーバ４０にアクセスする。なお、ネットワークＮＷには、こうした複数のユーザ端末２０が接続される。
【００２７】
コンテンツ提供サーバ３０は、コンテンツを提供するウェブサイトを構築している。コンテンツ提供サーバ３０が提供するコンテンツには、ＩＣタグ１０が備えられた広告媒体の掲載内容に関連する情報やＩＣタグ１０が備えられた物品自体に関連する情報が含まれている。例えば、広告媒体の掲載内容が店舗の広告である場合には、その店舗で利用されるクーポンがコンテンツに含まれている。また、例えば、物品がＣＤである場合には、そのＣＤに収容された楽曲を演奏するアーティストの動画がコンテンツに含まれている。なお、ネットワークＮＷには、相互に異なるコンテンツを提供する複数のコンテンツ提供サーバ３０がコンテンツの提供元として接続されている。
【００２８】
情報管理サーバ４０は、コンテンツの提供元を示すコンテンツ情報Ｉｃを特定してそのコンテンツ情報Ｉｃを出力する。すなわち、情報管理サーバ４０は、ユーザ端末２０から受信されたアクセス要求に基づいて、コンテンツの提供元を示すコンテンツ情報Ｉｃを特定する。そして、情報管理サーバ４０は、特定されたコンテンツ情報Ｉｃをユーザ端末２０へ送信する。なお、本実施形態におけるコンテンツ情報Ｉｃは、コンテンツ提供サーバ３０におけるアクセス先を示すＵＲＬである。
【００２９】
なお、情報管理サーバ４０の備える機能は、複数のＣＰＵやメモリ等の各種のハードウェアによって具体化することが可能であり、共通する１つのハードウェアに複数の機能を与える情報提供プログラム等のソフトウェアによって具体化することも可能である。本実施形態では、ハードウェアとソフトウェアとの連携によって実現される。
【００３０】
［情報管理サーバの構成］
次に、情報管理サーバ４０の構成について図２及び図３を参照して説明する。図２に示されるように、情報管理サーバ４０は、受信部及び出力部を構成する通信部４１と、記憶部４２と、制御部４３とを備えている。
【００３１】
通信部４１は、ユーザ端末２０と情報管理サーバ４０との接続処理を実行する。また、通信部４１は、ユーザ端末２０と通信部４１との間で情報の送信及び受信を行う。
記憶部４２は、上述の情報提供プログラムの他に、情報提供プログラムにて利用される対応コンテンツデータ４２ａを記憶している。対応コンテンツデータ４２ａでは、相互に異なる複数のコンテンツ情報Ｉｃがタグ情報Ｉｔに対応付けられる状態で記憶されている。
【００３２】
制御部４３は、情報提供プログラムに従い、通信部４１における通信を制御し、また、記憶部４２における情報の更新や読み出しを制御する。制御部４３は、情報特定部４３ａを備えている。情報特定部４３ａは、通信部４１にて受信されたユーザ端末２０からのアクセス要求に応じ、記憶部４２に記憶された対応コンテンツデータ４２ａから、アクセス要求に基づくファイルを特定する。特定されたファイルのデータは、通信部４１からユーザ端末２０に出力される。
【００３３】
次に、ＩＣタグ１０が有するタグ情報Ｉｔと、対応コンテンツデータ４２ａを構成するコンテンツ情報Ｉｃとの対応関係について図３を参照して詳細に説明する。
図３に示されるように、タグの識別情報がタグＩＤとして設定され、１つのタグＩＤには、１つのタグ情報Ｉｔが対応付けられている。また、対応コンテンツデータ４２ａにおいて、１つのコンテンツ情報Ｉｃは、１つのタグ情報Ｉｔに対応付けられる状態で記憶されている。
【００３４】
例えば、「００１」のタグＩＤには、タグ情報Ｉｔとして「ｈｔｔｐ：／／△△／ａｂｃ」が対応付けられている。この際に、タグ情報ＩｔとしてのＵＲＬのうち、「△△」は、情報管理サーバ４０のドメイン名を示す。また、「ａｂｃ」は、情報管理サーバ４０内におけるファイルのパス名を示す。すなわち、「００１」のタグＩＤには、情報管理サーバ４０の「ａｂｃ」に対応するファイルをアクセス先として指定する情報が対応付けられている。そして、タグ情報Ｉｔにて指定されるアクセス先のファイル、例えば、「ａｂｃ」に対応するファイルには、「Ａコンテンツ」を提供するコンテンツ提供サーバ３０のＵＲＬがコンテンツ情報Ｉｃとして記憶されている。なお、「Ａコンテンツ」は、「ｈｔｔｐ：／／△△／ａｂｃ」というタグ情報Ｉｔが記憶されているＩＣタグ１０が備えられた広告媒体や物品に関連するコンテンツである。
【００３５】
同様に、例えば、「００２」のタグＩＤには、タグ情報Ｉｔとして「ｈｔｔｐ：／／△△／ｄｅｆ」が対応付けられており、「００３」のタグＩＤには、タグ情報Ｉｔとして「ｈｔｔｐ：／／△△／ｇｈｉ」が対応付けられている。すなわち、「００２」のタグＩＤには、情報管理サーバ４０の「ｄｅｆ」に対応するファイルをアクセス先として指定する情報が対応付けられており、「００３」のタグＩＤには、情報管理サーバ４０の「ｇｈｉ」に対応するファイルをアクセス先として指定する情報が対応付けられている。そして、「ｄｅｆ」に対応するファイルには、「Ｂコンテンツ」を提供するコンテンツ提供サーバ３０のＵＲＬが記憶され、「ｇｈｉ」に対応するファイルには、「Ｃコンテンツ」を提供するコンテンツ提供サーバ３０のＵＲＬが記憶されている。
【００３６】
［情報提供システムの作用］
次に、情報管理サーバ４０を用いて行われるユーザ端末２０へのコンテンツの提供の手順について図４を参照して説明する。なお、以下では、コンテンツの提供の手順の一例として、スマートポスターに備えられるＩＣタグ１０の読み取りを通じて行われるコンテンツの提供の手順について説明する。
【００３７】
まず、スマートポスターの掲載内容に興味を持ったユーザによって、ユーザ端末２０の読み取り部分がＩＣタグ１０にかざされる。これにより、ＩＣタグ１０に記憶されているタグ情報Ｉｔが、ユーザ端末２０に読み取られる（ステップＳ１０）。タグ情報Ｉｔが読み取られると、ユーザ端末２０から、タグ情報Ｉｔによって特定される情報管理サーバ４０のアクセス先へのアクセスが、情報管理サーバ４０に対して要求される（ステップＳ１１）。
【００３８】
情報管理サーバ４０は、ユーザ端末２０からのアクセス要求に応じ、記憶部４２に記憶された対応コンテンツデータ４２ａを参照して、要求されたアクセス先に記憶されるコンテンツ情報Ｉｃを特定する（ステップＳ１２）。そして、情報管理サーバ４０は、特定されたコンテンツ情報Ｉｃをユーザ端末２０に送信する。これにより、ＩＣタグ１０のタグ情報Ｉｔに対応するコンテンツ情報Ｉｃがユーザ端末に送信される（ステップＳ１３）。
【００３９】
ユーザ端末２０は、受信されたコンテンツ情報Ｉｃに基づき、コンテンツ提供サーバ３０にコンテンツの送信を要求する（ステップＳ１４）。コンテンツ提供サーバ３０は、ユーザ端末２０からの要求に応じ、要求されたコンテンツをユーザ端末に送信する。これにより、タグ情報Ｉｔに応じたコンテンツがユーザ端末２０に送信される（ステップＳ１５）。そして、ユーザ端末２０は、コンテンツ提供サーバ３０からコンテンツを受信して表示部にコンテンツを表示する。これにより、タグ情報Ｉｔに応じたコンテンツがユーザに提供される（ステップＳ１６）。
【００４０】
このように、情報管理サーバ４０では、ＩＣタグ１０が有するタグ情報Ｉｔと、コンテンツの提供元を示すコンテンツ情報Ｉｃとが対応付けられている。そして、情報管理サーバ４０は、ユーザ端末２０から受信したタグ情報Ｉｔに対応するコンテンツ情報Ｉｃを特定して、ユーザ端末２０へコンテンツ情報Ｉｃを送信する。すなわち、ＩＣタグ１０を利用したユーザ端末２０へのコンテンツの提供が、情報管理サーバ４０によるコンテンツ情報Ｉｃの特定を通じて行われる。
【００４１】
したがって、ＩＣタグ１０と、ＩＣタグ１０が有する情報に応じたコンテンツとの対応付けが、情報管理サーバ４０にて管理されているため、コンテンツの提供状況の確認に際して、ＩＣタグ１０の設置場所への移動に要する労力や設置場所でのタグ情報の取得作業に要する労力が軽減される。それゆえに、タグ情報の読み取りを通じて提供されるコンテンツの管理に要する労力が軽減される。
【００４２】
以上説明したように、第１の実施形態によれば、以下に列挙する効果が得られる。
（１）情報管理サーバ４０は、ユーザ端末２０に読み取られるタグ情報Ｉｔに基づいて、ユーザ端末２０へコンテンツ情報Ｉｃを提供する。したがって、ＩＣタグ１０と、そのＩＣタグ１０に対応してユーザに提供されるコンテンツとの対応付けが、情報管理サーバ４０にて管理されているため、提供されるコンテンツを管理する上での利便性が向上される。
【００４３】
（第２の実施形態）
本開示の技術における第２の実施形態について、第１の実施形態との相違点を中心に、図５〜図７を参照して説明する。なお、第２の実施形態は、情報管理サーバの構成が、第１の実施形態と異なり、その他の基本的な構成は第１の実施形態と同様である。そのため、第１の実施形態と実質的に同一の構成要素にはそれぞれ同一の符号を付して示し、重複する説明は省略する。
【００４４】
［情報管理サーバの構成］
図５に示されるように、情報管理サーバ４０は、時刻を計測する時計部４４を備えている。制御部４３に含まれる情報特定部４３ａは、ユーザ端末２０からのアクセス要求を受信した際に、その受信時刻を時計部４４から取得する。そして、情報特定部４３ａは、ユーザ端末２０からのアクセス要求に応じ、その要求にて指定されたファイルを対応コンテンツデータ４２ａから受信時刻に基づいて読み出す。すなわち、制御部４３は、記憶部４２におけるタグ情報Ｉｔとコンテンツ情報Ｉｃとの対応付けを時刻に応じて変更する。
【００４５】
次に、ＩＣタグ１０が有するタグ情報Ｉｔと、対応コンテンツデータ４２ａにおけるコンテンツ情報Ｉｃと、設定時刻との対応関係について図６を参照して説明する。なお、相互に異なるタグＩＤの各々では、タグ情報Ｉｔと、コンテンツ情報Ｉｃと、設定時刻との対応関係が同様であるため、図６では、「００１」のタグＩＤに対する対応関係のみを例示する。
【００４６】
図６に示されるように、タグの識別情報がタグＩＤとして設定され、１つのタグＩＤには、共通する１つのタグ情報Ｉｔが対応付けられている。また、対応コンテンツデータ４２ａにおいて、１つのタグ情報Ｉｔには、相互に異なる３つのコンテンツ情報Ｉｃが設定時刻ごとに対応付けられる状態で記憶されている。
【００４７】
例えば、「００１」のタグＩＤには、タグ情報Ｉｔとして「ｈｔｔｐ：／／△△／ａｂｃ」が対応付けられている。すなわち、「００１」のタグＩＤには、情報管理サーバ４０の「ａｂｃ」に対応するファイルをアクセス先として指定するタグ情報Ｉｔが対応付けられている。一方で、対応コンテンツデータ４２ａでは、１つのタグ情報Ｉｔが示すアクセス先に対して、相互に異なる３つのコンテンツ情報Ｉｃが設定時間ごとに対応付けられている。制御部４３は、時計部４４から取得された時刻に基づいて、タグ情報Ｉｔとコンテンツ情報Ｉｃとの対応付けを変更する。例えば、時計部４４から取得された時刻が「０：００〜１１：００」である場合、「ａｂｃ」に対応するファイルでは、コンテンツ情報Ｉｃとして、「Ｄコンテンツ」を提供するコンテンツ提供サーバ３０のＵＲＬが対応付けられる。また、時計部４４から取得された時刻が「１１：００〜１５：００」である場合、「ａｂｃ」に対応するファイルでは、コンテンツ情報Ｉｃとして、「Ｅコンテンツ」を提供するコンテンツ提供サーバ３０のＵＲＬが対応付けられる。そして、時計部４４から取得された時刻が「１５：００〜２４：００」である場合、「ａｂｃ」に対応するファイルでは、コンテンツ情報Ｉｃとして、「Ｆコンテンツ」を提供するコンテンツ提供サーバ３０のＵＲＬが対応付けられる。
【００４８】
なお、「Ｄコンテンツ」と「Ｅコンテンツ」と「Ｆコンテンツ」とは、相互に異なるコンテンツであって、「ｈｔｔｐ：／／△△／ａｂｃ」というタグ情報Ｉｔが記憶されているＩＣタグ１０が備えられた広告媒体や物品に関連するコンテンツである。例えば、ＩＣタグ１０が飲食店の広告媒体に備えられている場合、「Ｄコンテンツ」は、該当店舗における朝食セットのクーポンに具体化され、「Ｅコンテンツ」は、昼食セットのクーポンに具体化され、「Ｆコンテンツ」は、夕食セットのクーポンに具体化される。
【００４９】
［情報提供システムの作用］
次に、情報管理サーバ４０を用いて行われるユーザ端末２０へのコンテンツの提供の手順について図７を参照して説明する。
【００５０】
まず、ＩＣタグ１０に記憶されているタグ情報Ｉｔが、ユーザ端末２０に読み取られる（ステップＳ２０）。そして、ユーザ端末２０から、タグ情報Ｉｔによって特定される情報管理サーバ４０のアクセス先へのアクセスが、情報管理サーバ４０に対して要求される（ステップＳ２１）。
【００５１】
情報管理サーバ４０の情報特定部４３ａは、ユーザ端末２０からのアクセス要求に応じ、要求信号の受信時刻を時計部４４から取得する（ステップＳ２２）。そして、情報特定部４３ａは、対応コンテンツデータ４２ａを参照して、要求されたアクセス先に記憶されるコンテンツ情報Ｉｃを特定する（ステップＳ２３）。次いで、情報管理サーバ４０は、特定されたＩＣタグ１０のタグ情報Ｉｔに対応するコンテンツ情報Ｉｃをユーザ端末に送信する（ステップＳ２４）。
【００５２】
ユーザ端末２０は、受信されたコンテンツ情報Ｉｃに基づき、コンテンツ提供サーバ３０にコンテンツの送信を要求する（ステップＳ２５）。コンテンツ提供サーバ３０は、ユーザ端末２０からの要求に応じ、要求されたコンテンツをユーザ端末２０に送信する（ステップＳ２６）。そして、タグ情報Ｉｔに応じたコンテンツがユーザに提供される（ステップＳ２７）。
【００５３】
このように、情報管理サーバ４０では、ＩＣタグ１０が有するタグ情報Ｉｔに対し、相互に異なる複数のコンテンツ情報Ｉｃが設定時間ごとに対応付けられる。換言すれば、情報管理サーバ４０では、コンテンツ情報Ｉｃの特定に用いられるタグ情報Ｉｔとコンテンツ情報Ｉｃとの対応付けが時刻に応じて切り替えられる。そして、情報管理サーバ４０は、ユーザ端末２０から受信したタグ情報Ｉｔと、タグ情報Ｉｔが受信された時刻とに基づいて、ユーザ端末２０へコンテンツ情報Ｉｃを提供する。
【００５４】
したがって、ＩＣタグ１０と、ＩＣタグ１０が有する情報に応じたコンテンツとの対応付けが、情報管理サーバ４０にて変更されるため、ＩＣタグ１０が有する情報の書き換えやＩＣタグ１０自体の交換等が行われることなく、コンテンツの変更が実現される。結果として、ＩＣタグ１０に対応してユーザに提供されるコンテンツの変更を容易に行うことができる。
【００５５】
以上説明したように、第２の実施形態によれば、上記（１）の効果に加えて以下の効果が得られる。
（２）ＩＣタグ１０が有するタグ情報Ｉｔに基づき提供されるコンテンツは、ＩＣタグ１０の備えられた広告媒体や物品の所在に関わらず変更される。したがって、ＩＣタグ１０に対応してユーザに提供されるコンテンツの変更を容易に行うことができる。また、１つのＩＣタグ１０に対する読み取りを通じて提供されるコンテンツに多様性が与えられる。
【００５６】
（３）ユーザに提供されるコンテンツの変更が、時刻に応じて行われるため、提供されるコンテンツの変更を的確に制御することができる。また、コンテンツの変更を短い周期で行うことも容易となる。
【００５７】
（第３の実施形態）
本開示の技術における第３の実施形態について、第１の実施形態との相違点を中心に、図８〜図１０を参照して説明する。なお、第３の実施形態は、情報管理サーバの構成が、第１の実施形態と異なり、その他の基本的な構成は第１の実施形態と同様である。そのため、第１の実施形態と実質的に同一の構成要素にはそれぞれ同一の符号を付して示し、重複する説明は省略する。
【００５８】
［情報管理サーバの構成］
図８に示されるように、情報管理サーバ４０の記憶部４２は、上述の対応コンテンツデータ４２ａに加えて、ユーザ端末２０の端末ＩＤとタグ情報Ｉｔとが対応付けられた履歴データ４２ｂを記憶している。
【００５９】
制御部４３は、上述の情報特定部４３ａに加えて、履歴データ４２ｂにデータを登録するデータ登録部４３ｂを備えている。情報特定部４３ａは、ユーザ端末２０からのアクセス要求に応じ、その要求にて指定されたファイルを対応コンテンツデータ４２ａから読み出す。データ登録部４３ｂは、ユーザ端末２０からのアクセス要求に応じ、ユーザ端末２０から当該ユーザ端末２０の端末ＩＤを受信し、受信した端末ＩＤをＩＣタグ１０のタグ情報Ｉｔに対応付けて履歴データ４２ｂに登録する。
【００６０】
次に、ＩＣタグ１０が有するタグ情報Ｉｔと、対応コンテンツデータ４２ａにおけるコンテンツ情報Ｉｃと、端末ＩＤとの対応関係について図９を参照して説明する。
図９に示されるように、履歴データ４２ｂには、ＩＣタグ１０のタグＩＤとタグ情報Ｉｔとに対応付けられたコンテンツ情報Ｉｃに対し、ユーザ端末２０の端末ＩＤが対応付けられている。ここで、コンテンツ情報Ｉｃに対応付けられる端末ＩＤは、当該コンテンツ情報Ｉｃの送信を情報管理サーバ４０に要求したユーザ端末２０の端末ＩＤである。
【００６１】
例えば、「００１」のタグＩＤには、タグ情報Ｉｔとして「ｈｔｔｐ：／／△△／ａｂｃ」が対応付けられている。「００５」のタグＩＤには、タグ情報Ｉｔとして「ｈｔｔｐ：／／△△／ｌｍｎ」が対応付けられ、また、「００８」のタグＩＤには、タグ情報Ｉｔとして「ｈｔｔｐ：／／△△／ｘｙｚ」が対応付けられている。
【００６２】
そして、タグ情報Ｉｔである「ｈｔｔｐ：／／△△／ａｂｃ」に基づいて情報管理サーバ４０にアクセスしたユーザ端末２０の端末ＩＤである「ａ２７」は、「００１」と「ｈｔｔｐ：／／△△／ａｂｃ」とに対応付けられている。また、他のタグ情報Ｉｔである「ｈｔｔｐ：／／△△／ｌｍｎ」に基づいて情報管理サーバ４０にアクセスしたユーザ端末２０の端末ＩＤである「ａ２７」は、上記の他、「００５」と「ｈｔｔｐ：／／△△／ｌｍｎ」とに対応付けられている。同様に、他のタグ情報Ｉｔである「ｈｔｔｐ：／／△△／ｘｙｚ」に基づいて情報管理サーバ４０にアクセスしたユーザ端末２０の端末ＩＤである「ａ２７」は、さらに「００８」と「ｈｔｔｐ：／／△△／ｘｙｚ」とに対応付けられている。
【００６３】
すなわち、情報管理サーバ４０には、複数のユーザ端末２０について、各々のユーザ端末２０の端末ＩＤと、当該ユーザ端末２０によって読み取られたタグ情報Ｉｔとが対応付けられる状態で記憶されている。
【００６４】
［情報提供システムの作用］
次に、情報管理サーバ４０を用いて行われるユーザ端末２０へのコンテンツの提供の手順について図１０を参照して説明する。
【００６５】
まず、ＩＣタグ１０に記憶されているタグ情報Ｉｔが、ユーザ端末２０に読み取られる（ステップＳ３０）。そして、ユーザ端末２０から、タグ情報Ｉｔによって特定される情報管理サーバ４０のアクセス先へのアクセスが、情報管理サーバ４０に対して要求される（ステップＳ３１）。情報管理サーバ４０の情報特定部４３ａは、対応コンテンツデータ４２ａを参照して、要求されたアクセス先に記憶されるコンテンツ情報Ｉｃを特定する（ステップＳ３２）。
【００６６】
この際に、情報管理サーバ４０のデータ登録部４３ｂは、ユーザ端末２０から送信されるアクセス要求と端末ＩＤとに基づいて、ＩＣタグ１０のタグ情報Ｉｔに端末ＩＤを対応付けて履歴データ４２ｂに登録する（ステップＳ３３）。
【００６７】
次いで、情報管理サーバ４０は、ＩＣタグ１０のタグ情報Ｉｔに対応するコンテンツ情報Ｉｃをユーザ端末に送信する（ステップＳ３４）。ユーザ端末２０は、受信されたコンテンツ情報Ｉｃに基づき、コンテンツ提供サーバ３０にコンテンツの送信を要求する（ステップＳ３５）。コンテンツ提供サーバ３０は、ユーザ端末２０からの要求に応じ、要求されたコンテンツをユーザ端末２０に送信する（ステップＳ３６）。そして、タグ情報Ｉｔに応じたコンテンツがユーザに提供される（ステップＳ３７）。
【００６８】
このように、情報管理サーバ４０では、ユーザ端末２０の端末ＩＤと、当該ユーザ端末２０によって読み取られたタグ情報Ｉｔとが対応付けられて履歴データ４２ｂとして記憶される。したがって、履歴データ４２ｂが解析されることによって、特定のユーザ端末２０に読み取られたタグ情報Ｉｔや特定のユーザ端末２０に送信されたコンテンツ情報Ｉｃが把握される。その結果、ユーザによるコンテンツの取得の状況の分析が可能となる。
【００６９】
例えば、飲食店の広告が掲載される構内スマートポスターが駅に設置されて、その構内スマートポスターにＩＣタグ１０が備えられる。そして、当該ＩＣタグ１０の有するタグ情報が読み取られることによって、飲食店のメニューに関する情報がコンテンツとして提供されるとする。また、上記の飲食店に設置された店内スマートポスターにＩＣタグ１０が備えられ、当該ＩＣタグ１０の有するタグ情報が読み取られることによって、飲食店のクーポンがコンテンツとして提供されるとする。
【００７０】
このような場合に上記履歴データ４２ｂが解析されると、駅に設置されたＩＣタグ１０を利用してコンテンツを取得したユーザのうち、実際に飲食店に赴いてさらに飲食店に設置されたＩＣタグ１０を利用してコンテンツを取得したユーザの数等が把握される。それゆえに、スマートポスターによる広告効果の測定に要する労力やユーザの消費行動の分析に要する労力が軽減される。
【００７１】
以上説明したように、第３の実施形態によれば、上記（１）の効果に加えて以下の効果が得られる。
（４）ＩＣタグ１０のタグ情報Ｉｔとユーザ端末２０の端末ＩＤとが対応付けられて履歴データ４２ｂとして情報管理サーバ４０に記憶されるため、ユーザ端末２０によるＩＣタグ１０からの情報取得の経過が把握される。したがって、ユーザによる情報の取得の状況が分析される際に要する労力がこうした履歴データによって軽減される。
【００７２】
（第４の実施形態）
本開示の技術における第４の実施形態について、第３の実施形態との相違点を中心に、図１１及び図１２を参照して説明する。なお、第４の実施形態は、情報管理サーバの構成が、第３の実施形態と異なり、その他の基本的な構成は第３の実施形態と同様である。そのため、第３の実施形態と実質的に同一の構成要素にはそれぞれ同一の符号を付して示し、重複する説明は省略する。なお、第４の実施形態において、ユーザ端末２０は、グローバル・ポジショニング・システム（ＧＰＳ）に対応したスマートフォンであり、ＧＰＳ衛星からの信号を受信してユーザ端末２０の現在位置を示す情報を現在位置情報として取得する。
【００７３】
［情報管理サーバの構成］
記憶部４２に記憶される履歴データ４２ｂでは、ＩＣタグ１０のタグ情報Ｉｔとユーザ端末２０の端末ＩＤと位置情報とが対応付けられている。そして、データ登録部４３ｂは、ユーザ端末２０からのアクセス要求に伴い、ユーザ端末２０から当該ユーザ端末２０の端末ＩＤとユーザ端末２０の位置情報とを受信し、受信された端末ＩＤ及び位置情報をＩＣタグ１０のタグ情報Ｉｔと対応付けて履歴データ４２ｂに登録する。
【００７４】
次に、履歴データ４２ｂにおける各データの対応関係について図１１を参照して説明する。
図１１に示されるように、履歴データ４２ｂでは、ＩＣタグ１０のタグＩＤとタグ情報Ｉｔとに対応付けられたコンテンツ情報Ｉｃに、ユーザ端末２０の端末ＩＤとユーザ端末２０の位置情報である緯度及び経度とが対応付けられている。ここで、コンテンツ情報Ｉｃに対応付けられる端末ＩＤは、当該コンテンツ情報Ｉｃの送信を情報管理サーバ４０に要求したユーザ端末２０の端末ＩＤである。また、コンテンツ情報Ｉｃに対応付けられる位置情報は、当該コンテンツ情報Ｉｃの送信を情報管理サーバ４０に要求した際のユーザ端末２０の位置情報である。
【００７５】
例えば、「００１」のタグＩＤには、タグ情報Ｉｔとして「ｈｔｔｐ：／／△△／ａｂｃ」が対応付けられている。「００５」のタグＩＤには、タグ情報Ｉｔとして「ｈｔｔｐ：／／△△／ｌｍｎ」が対応付けられ、また、「００８」のタグＩＤには、タグ情報Ｉｔとして「ｈｔｔｐ：／／△△／ｘｙｚ」が対応付けられている。
【００７６】
そして、タグ情報Ｉｔである「ｈｔｔｐ：／／△△／ａｂｃ」に基づいて情報管理サーバ４０にアクセスしたユーザ端末２０の端末ＩＤ「ａ２７」は、「００１」と「ｈｔｔｐ：／／△△／ａｂｃ」とに対応付けられている。さらに、これらのタグＩＤとタグ情報Ｉｔとには、当該タグ情報Ｉｔが読み取られた地点の緯度及び経度が対応付けられている。また、他のタグ情報Ｉｔである「ｈｔｔｐ：／／△△／ｌｍｎ」に基づいて情報管理サーバ４０にアクセスしたユーザ端末２０の端末ＩＤである「ａ２７」は、上記の他、「００５」と「ｈｔｔｐ：／／△△／ｌｍｎ」とに対応付けられている。さらに、これらのタグＩＤとタグ情報Ｉｔとには、当該タグ情報Ｉｔが読み取られた地点の緯度及び経度が対応付けられている。同様に、他のタグ情報Ｉｔである「ｈｔｔｐ：／／△△／ｘｙｚ」に基づいて情報管理サーバ４０にアクセスしたユーザ端末２０の端末ＩＤである「ａ２７」は、さらに「００８」と「ｈｔｔｐ：／／△△／ｘｙｚ」とに対応付けられている。そして、これらのタグＩＤとタグ情報Ｉｔとにも、当該タグ情報Ｉｔが読み取られた地点の緯度及び経度が対応付けられている。
【００７７】
すなわち、情報管理サーバ４０には、複数のユーザ端末２０について、各々のユーザ端末２０の端末ＩＤと、当該ユーザ端末２０によって読み取られたタグ情報Ｉｔと、当該タグ情報Ｉｔが読み取られた地点の位置情報とが対応付けられる状態で記憶されている。
【００７８】
［情報提供システムの作用］
次に、情報管理サーバ４０を用いて行われるユーザ端末２０へのコンテンツの提供の手順について図１２を参照して説明する。
【００７９】
まず、ＩＣタグ１０に記憶されているタグ情報Ｉｔが、ユーザ端末２０に読み取られる（ステップＳ４０）。そして、ユーザ端末２０から、タグ情報Ｉｔによって特定される情報管理サーバ４０のアクセス先へのアクセスが、情報管理サーバ４０に対して要求される。また、ユーザ端末２０の端末ＩＤとユーザ端末２０の位置情報とが、ユーザ端末２０から情報管理サーバ４０に送信される（ステップＳ４１）。
【００８０】
情報管理サーバ４０の情報特定部４３ａは、ユーザ端末２０からのアクセス要求に応じ、対応コンテンツデータ４２ａを参照して、要求されたアクセス先に記憶されるコンテンツ情報Ｉｃを特定する（ステップＳ４２）。
【００８１】
情報管理サーバ４０のデータ登録部４３ｂは、ユーザ端末２０からのアクセス要求と端末ＩＤと位置情報とに基づいて、ＩＣタグ１０のタグ情報Ｉｔに端末ＩＤと位置情報とを対応付けて履歴データ４２ｂに登録する（ステップＳ４３）。そして、情報管理サーバ４０は、ＩＣタグ１０のタグ情報Ｉｔに対応するコンテンツ情報Ｉｃをユーザ端末に送信する（ステップＳ４４）。
【００８２】
ユーザ端末２０は、受信されたコンテンツ情報Ｉｃに基づき、コンテンツ提供サーバ３０にコンテンツの送信を要求する（ステップＳ４５）。コンテンツ提供サーバ３０は、ユーザ端末２０からの要求に応じ、要求されたコンテンツをユーザ端末２０に送信する（ステップＳ４６）。そして、タグ情報Ｉｔに応じたコンテンツがユーザに提供される（ステップＳ４７）。
【００８３】
このように、情報管理サーバ４０では、ユーザ端末２０の端末ＩＤと、当該ユーザ端末２０によって読み取られたタグ情報Ｉｔと、当該タグ情報Ｉｔが読み取られた地点の位置情報とが対応付けられて履歴データ４２ｂとして記憶される。したがって、履歴データ４２ｂが解析されることによって、特定のユーザ端末２０に読み取られたタグ情報Ｉｔや当該読み取られた地点が把握される。その結果、ユーザによるコンテンツの取得の状況の分析が可能となる。
【００８４】
例えば、ＩＣタグ１０が書籍に備えられ、当該ＩＣタグ１０の有するタグ情報が読み取られることによって、その書籍の著者に関する情報がコンテンツとして提供されるとする。このような場合、上記履歴データ４２ｂが解析されることによって、上記コンテンツの取得された地点が把握される。すなわち、上記書籍の注目されている地域等が把握されるため、その書籍に対する広告効果の測定やユーザの消費行動の分析に際して、それに要する労力が軽減される。
【００８５】
なお、タグ情報Ｉｔに対応付けられるコンテンツ情報Ｉｃとして、例えば、地図の表示を提供するコンテンツ提供サーバ３０のＵＲＬが設定される。この際に、情報管理サーバ４０は、ユーザ端末２０から受信された位置情報をコンテンツ提供サーバ３０に送信し、コンテンツ提供サーバ３０は、受信された位置情報に応じたコンテンツをユーザ端末２０に送信してもよい。
【００８６】
以上説明したように、第４の実施形態によれば、上記（１），（４）の効果に加えて以下の効果が得られる。
（５）ユーザ端末２０によるタグ情報Ｉｔの取得の経過が、そのタグ情報Ｉｔの取得された位置の情報と共に把握される。したがって、ユーザによる情報の取得の状況が分析される際に、その分析に要する労力がさらに軽減される。
【００８７】
（第５の実施形態）
本開示の技術における第５の実施形態について、第４の実施形態との相違点を中心に、図１３及び図１４を参照して説明する。なお、第５の実施形態は、情報提供システムの構成と情報管理サーバの構成とが、第４の実施形態と異なり、その他の基本的な構成は第４の実施形態と同様である。そのため、第４の実施形態と実質的に同一の構成要素にはそれぞれ同一の符号を付して示し、重複する説明は省略する。
【００８８】
［情報提供システムの構成］
図１３に示されるように、ネットワークＮＷには、推薦コンテンツ選定サーバ５０が接続されている。推薦コンテンツ選定サーバ５０は、情報管理サーバ４０から送信される端末の履歴データに基づき、所定のルールに従って、多数のコンテンツの中から推薦されるコンテンツを選定して当該コンテンツの提供元を示す推薦コンテンツ情報を動的に作成する。
【００８９】
なお、情報管理サーバ４０の記憶部４２には、コンテンツの提供元に関する情報であるコンテンツ情報Ｉｃとして、推薦コンテンツ選定サーバ５０のＵＲＬ、もしくは、推薦コンテンツ選定サーバ５０のＵＲＬ以外のコンテンツ提供サーバ３０のＵＲＬが記憶されている。そして、推薦コンテンツ選定サーバ５０のＵＲＬがコンテンツ情報Ｉｃとして特定される場合、情報管理サーバ４０は、履歴データ４２ｂのうち、当該ユーザ端末２０の端末ＩＤと対応付けられているデータを抽出し、抽出されたデータを端末履歴データとして推薦コンテンツ選定サーバ５０へ送信する。この際に、情報管理サーバ４０の制御部４３は、コンテンツ情報Ｉｃを通信部４１に出力する出力部として機能する。
【００９０】
［情報提供システムの作用］
次に、情報管理サーバ４０を用いて行われるユーザ端末２０へのコンテンツの提供の手順について図１４を参照して説明する。なお、ここでは、推薦コンテンツ選定サーバ５０のＵＲＬがコンテンツ情報Ｉｃとして特定される場合について説明する。
【００９１】
まず、ＩＣタグ１０に記憶されているタグ情報Ｉｔが、ユーザ端末２０に読み取られる（ステップＳ５０）。そして、タグ情報Ｉｔによって特定される情報管理サーバ４０のアクセス先へのアクセスが、情報管理サーバ４０に対して要求される。また、ユーザ端末２０の端末ＩＤとユーザ端末２０の位置情報とが、ユーザ端末２０から情報管理サーバ４０に送信される（ステップＳ５１）。
【００９２】
情報管理サーバ４０の情報特定部４３ａは、ユーザ端末２０からのアクセス要求に応じ、対応コンテンツデータ４２ａを参照して、要求されたアクセス先に記憶されるコンテンツ情報Ｉｃを特定する。この際に、特定されるコンテンツ情報Ｉｃは、推薦コンテンツ選定サーバ５０のＵＲＬである（ステップＳ５２）。
【００９３】
情報管理サーバ４０のデータ登録部４３ｂは、ユーザ端末２０から受けるアクセス要求と端末ＩＤと位置情報とに基づいて、ＩＣタグ１０のタグ情報Ｉｔに端末ＩＤ及び位置情報を対応付けて履歴データ４２ｂに登録する（ステップＳ５３）。次いで、情報管理サーバ４０の情報特定部４３ａは、履歴データ４２ｂから当該ユーザ端末２０の端末ＩＤに対応付けられている端末履歴データを抽出して、通信部４１を介して推薦コンテンツ選定サーバ５０へ送信する（ステップＳ５４）。
【００９４】
推薦コンテンツ選定サーバ５０は、受信された端末履歴データに基づき、推薦コンテンツ選定サーバ５０内のプログラムによって規定される所定のルールに従って、推薦コンテンツを選定する（ステップＳ５５）。推薦コンテンツ選定サーバ５０は、推薦コンテンツとして選定されたコンテンツを提供するコンテンツ提供サーバ３０のＵＲＬを推薦コンテンツ情報としてユーザ端末２０に送信する（ステップＳ５６）。
【００９５】
ユーザ端末２０は、受信された推薦コンテンツ情報に基づき、コンテンツ提供サーバ３０にコンテンツの送信を要求する（ステップＳ５７）。コンテンツ提供サーバ３０は、ユーザ端末２０からの要求に応じ、要求されたコンテンツをユーザ端末２０に送信する（ステップＳ５８）。そして、コンテンツがユーザに提供される（ステップＳ５９）。
【００９６】
このように、履歴データ４２ｂから抽出された端末履歴データが、情報管理サーバ４０から推薦コンテンツ選定サーバ５０に送信される。そして、推薦コンテンツ選定サーバ５０では、端末履歴データに基づいて推薦コンテンツが選定され、選定された推薦コンテンツの提供元を示す推薦コンテンツ情報が、推薦コンテンツ選定サーバ５０からユーザ端末２０に送信される。
【００９７】
したがって、ユーザに適したコンテンツが履歴データ４２ｂに基づいて選定される。例えば、特定のユーザ端末２０に関わる履歴データ４２ｂのうち、特定のコンテンツが取得された回数がコンテンツの選定条件として用いられる。そして、上記回数に応じた相互に異なるクーポンがコンテンツ提供サーバ３０から提供される。結果として、ユーザに対して適切なコンテンツが提供され、そのうえ、履歴データ４２ｂの効果的な利用が図られる。
【００９８】
以上説明したように、第５の実施形態によれば、上記（１），（４），（５）の効果に加えて以下の効果が得られる。
（６）推薦コンテンツ選定サーバ５０にて履歴データ４２ｂが利用されるため、履歴データ４２ｂの効果的な利用が図られる。
【００９９】
（７）履歴データ４２ｂが利用される推薦コンテンツ選定サーバ５０では、ユーザ端末２０の端末履歴データに基づいて推薦コンテンツが選定されるため、ユーザに対して適切なコンテンツが提供される。
【０１００】
（他の実施形態）
上記各実施形態は、以下のように変更して実施することが可能である。
・上記各実施形態において、ＩＣタグ１０は、タグＩＤのみを記憶し、情報管理サーバ４０の記憶部４２は、コンテンツ情報ＩｃをタグＩＤに対応付けて記憶してもよい。この構成にて、ユーザ端末２０によって読み取られたＩＣタグのタグＩＤは、ユーザ端末２０から情報管理サーバ４０に送信され、情報管理サーバ４０は、受信されたタグＩＤに対応するコンテンツ情報Ｉｃを特定する。要するに、タグが有するタグ情報Ｉｔは、当該タグに固有の情報であって、タグごとに割り当てられた情報であればよい。そして、情報管理サーバ４０の記憶部は、コンテンツ情報Ｉｃをタグ情報Ｉｔに対応付けて記憶する構成であればよい。
【０１０１】
・第２の実施形態において、ユーザ端末２０がタグ情報Ｉｔを読み取った時刻が、当該ユーザ端末２０から情報管理サーバ４０に時刻情報として送信され、情報管理サーバ４０は、受信された時刻情報を用いてコンテンツ情報Ｉｃを特定してもよい。
【０１０２】
・第２の実施形態において、タグ情報Ｉｔとコンテンツ情報Ｉｃとの対応付けは、時刻に限らず、日付に応じて変更されてもよい。また、タグ情報Ｉｔとコンテンツ情報Ｉｃとの対応付けは、時間的な要素に限らず、例えば、当該タグ情報Ｉｔの読み取られた回数等に応じて変更されてもよい。
【０１０３】
・第３及び第４の実施形態において、ユーザ端末２０の端末ＩＤや位置情報以外の情報、例えば、ユーザ端末２０に登録されたユーザの性別や年齢等が、情報管理サーバ４０に送信されてもよい。また、第４の実施形態において、ユーザ端末２０の位置情報のみが、情報管理サーバ４０に送信されてもよい。
【０１０４】
・第５の実施形態において、推薦コンテンツ選定サーバ５０における推薦コンテンツの選定の態様は、上述の態様に限らず、公知の手法を採用できる。例えば、端末履歴データの解析から導き出される傾向に基づいて推薦コンテンツが選定される態様であってもよい。
【０１０５】
・第５の実施形態において、推薦コンテンツ選定サーバ５０によって選定された推薦コンテンツ情報は、情報管理サーバ４０を経由してユーザ端末２０に送信され、情報管理サーバ４０では、履歴データの一部として推薦コンテンツ情報が記憶されてもよい。これによれば、推薦コンテンツ情報も履歴データとして利用することが可能となる。
【０１０６】
・上記各実施形態は、他の実施形態と組み合わせて実施されてもよい。例えば、第３〜第５の実施形態において、タグ情報Ｉｔと対応付けられたコンテンツ情報Ｉｃが時刻に応じて変更されてもよい。
【０１０７】
・ＩＣタグ１０の適用される対象は、ＩＣタグ１０の埋め込みやラベルシール型ＩＣタグ１０の貼り付けによって任意の箇所に設置することが可能である。
・上記実施形態では、ＩＣチップを備えたＩＣタグ１０と、非接触でＩＣタグ１０の有する情報を読み取るユーザ端末２０とを用いたが、これに代えて、例えば二次元バーコード等、端末によって読み取り可能な情報を保持する記憶媒体と、対応する読み取り端末とを用いてもよい。
【符号の説明】
【０１０８】
ＮＷ…ネットワーク、１０…ＩＣタグ、２０…ユーザ端末、３０…コンテンツ提供サーバ、４０…情報管理サーバ、４１…通信部、４２…記憶部、４２ａ…対応コンテンツデータ、４２ｂ…履歴データ、４３…制御部、４３ａ…情報特定部、４３ｂ…データ登録部、５０…推薦コンテンツ選定サーバ。
【図１】
2014026470.tif 000003
【図２】
2014026470.tif 000004
【図３】
2014026470.tif 000005
【図４】
2014026470.tif 000006
【図５】
2014026470.tif 000007
【図６】
2014026470.tif 000008
【図７】
2014026470.tif 000009
【図８】
2014026470.tif 000010
【図９】
2014026470.tif 000011
【図１０】
2014026470.tif 000012
【図１１】
2014026470.tif 000013
【図１２】
2014026470.tif 000014
【図１３】
2014026470.tif 000015
【図１４】
2014026470.tif 000016